(57)【特許請求の範囲】
【請求項１】
鏡を鏡の裏面に沿わせた裏板と一緒に被取り付け部に取り付ける構造であって、鏡に貫通するように穿孔した取り付け穴に、外周に弾性体が取り付けられると共に鏡の肉厚より厚く且つ全体が取り付け穴よりも小さい取り付け具を、該弾性体が取り付け穴の内周に密着するようにして嵌め込み、取り付け具に設けた孔に通したビスを裏板を介して被取り付け部まで打入して鏡を裏板ごと被取り付け部に固定し、取り付け具に器具を取り付けたことを特徴とする鏡の取り付け構造。
【請求項２】
取り付け具に複数の孔を設け、この複数の孔のうち一つは鏡を取り付けるためのビスを挿通するものとすると共に他は照明器具を取り付けるためのビスを挿通するものとしたことを特徴とする請求項１記載の鏡の取り付け構造。  
【発明の詳細な説明】
【０００１】
【発明の属する技術分野】
本発明は洗面化粧台等で壁面等の被取り付け部に鏡を取り付ける構造に関するものである。
【０００２】
【従来の技術】
従来、曇り止めヒータ付の鏡装置にあっては、図８に示すように鏡１の裏面側に曇り止めヒータを設け、鏡１と裏板２とを上下のサッシ３にて固定し、裏板２をビス等で壁面等の被取り付け部に取り付けるようになっていた。この鏡装置を現場で施工する場合、鏡１を裏板２から外し、裏板２をビス等で壁面等の被取り付け部に取り付け、この状態で裏板２にサッシ３にて鏡１を取り付けていた。
【０００３】
【発明が解決しようとする課題】
ところが、上記従来例にあっては、現場で取り付け施工する場合、裏板２を壁面等の被取り付け部に固定するために鏡１を裏板２から外さなければならず、鏡１のサイズが大きい場合、破損のおそれがあった。
【０００４】
本発明は上記の点に鑑みてなされたものであり、鏡を裏板から外すことなく取り付けることができて安全且つ簡単に取り付け施工ができる鏡の取り付け構造を提供することを課題とするものである。
【０００５】
【課題を解決するための手段】
上記課題を解決するための本発明の請求項１の鏡の取り付け構造は、鏡１を鏡１の裏面に沿わせた裏板２と一緒に被取り付け部４に取り付ける構造であって、鏡１に貫通するように穿孔した取り付け穴５に、外周に弾性体９が取り付けられると共に鏡１の肉厚より厚く且つ全体が取り付け穴５よりも小さい取り付け具６を、該弾性体９が取り付け穴５の内周に密着するようにして嵌め込み、取り付け具６に設けた孔７に通したビス８を裏板２を介して被取り付け部４まで打入して鏡１を裏板２ごと被取り付け部４に固定し、取り付け具６に器具を取り付けたことを特徴とする。上記のように構成したことにより器具を取り付ける取り付け具６にて鏡１を裏板２と一緒に取り付けることができるものであって、従来のように裏板２から鏡１を取り外す必要がなくて鏡１の取り付けが簡単且つ安全にできる。また取り付け具６の厚さが鏡１より厚いために器具等からの荷重が鏡１に直接かからず鏡１が破損したりするおそれがない。
【０００６】
また、弾性体９にて鏡１の取り付け穴５の部分を保護できると共に取り付け穴５と取り付け具６との間の寸法公差のクリアランスを吸収することができる。
【０００７】
また本発明の請求項２の鏡の取り付け構造は、請求項１において、取り付け具６に複数の孔を設け、この複数の孔のうち一つは鏡１を取り付けるためのビス８を挿通するものとすると共に他は照明器具１０を取り付けるためのビス１１を挿通するものとしたことを特徴とする。鏡１を取り付けてから照明器具１０を取り付けることができる。
【０００８】
【発明の実施の形態】
以下、本発明の実施の形態を説明する。
【０００９】
図３は洗面化粧台を示し、本体キャビネット１２の上の壁面である被取り付け部４には一面鏡の鏡１を取り付けてある。鏡１の表面の両側には上下方向にモール１３を設けてあり、中央鏡部１ａと両側の側部鏡部１ｂを設けてある。中央鏡部１ａの下部には器具の一例としての棚板１４を取り付けてあり、両側の側面鏡部１ｂには器具の他例としての照明器具１０を取り付けてある。また側面鏡部１ｂと本体キャビネット１２との間にはスイッチやコンセント１５を設けてある。鏡１は裏面に曇り止めヒータを装着してあり、鏡１をスペーサ１６を介して裏板２に取り付けてある。
【００１０】
鏡１の照明器具１０を取り付ける部分及び棚板１４を取り付ける部分には円形の取り付け穴５を穿孔してある。この取り付け穴５には径の大きな取り付け穴５ａと径の小さい取り付け穴５ｂがあり、取り付け穴５ａは照明器具１０を取り付ける部分で上下に設けてあり、取り付け穴５ｂは棚板１４を取り付ける部分で左右に設けてある。取り付け具６は上記取り付け穴５に合致する円盤状に形成されると共に鏡１の厚さより肉厚がやや厚くなるように形成されており、取り付け具６には貫通するようにビスを挿通する孔７が穿孔されている。この取り付け具６にも取り付け穴５ａに合致する径の大きい取り付け具６ａと取り付け穴５ｂに合致する径の小さい取り付け具６ｂとがある。取り付け具６ａにはビスを挿通する孔７を２個穿孔してあり、取り付け具６ｂにはビスを挿通する孔７を１個穿孔してある。また取り付け具６の外周にはＯリングのような弾性体９を全周に亙って装着してある。
【００１１】
鏡１を取り付けた裏板２を被取り付け部４に沿わせて配置した状態で鏡１は次のように取り付けられる。照明器具１０を取り付ける部分では取り付け穴５ａに取り付け具６ａが嵌め込まれると共に弾性体９が取り付け穴５ａに密着させられ、取り付け具６ａの２つの孔７のうち一つの孔７から図１、図４に示すようにビス８が挿通され、ビス８が裏板２を介して被取り付け部４まで打入されて鏡１が取り付けられる。そして照明器具１０のケーシング１０ａの底面を図５に示すように取り付け具６ａの表面に当接し、ケーシング１０ａの固定孔１７ａ，１７ｂから取り付け具６ａの２つの孔７のうち他の孔７にビス１１が挿通され、ドライバー２０等で操作してビス１１を裏板６に打入して照明器具１０が取り付けられる。棚板１４を取り付ける部分では取り付け穴５ｂに取り付け具６ｂが嵌め込まれると共に弾性体９が取り付け穴５ｂに密着させられ、取り付け具６ｂの表面に略コ字状の棚板支持具１８が当接され、図２、図５に示すように棚板支持具１８から取り付け具６ｂ、裏板２を介して被取り付け部４までビス８が打入され、鏡１が取り付けられると共に棚板支持具１８が取り付けられる。そして棚板支持具１８に棚板１４の端縁が嵌合され、棚板支持具１８に螺入したビス１９にて棚板１４が図６に示すように固定される。
【００１２】
上記のように施工されるが、取り付け具６の肉厚が鏡１の肉厚より厚いために照明器具１０や棚板１４からの荷重が直接鏡１にかからなく、鏡１が破損するのを防止できる。また取り付け具６の外周に弾性体９を装着してあると共に弾性体９を取り付け穴５に密着させてあるために鏡１の取り付け穴５の部分を保護できると共に取り付け具６と取り付け穴５との寸法公差のクリアランスを吸収できる。
【００１３】
【発明の効果】
本発明の請求項１の発明は、鏡を鏡の裏面に沿わせた裏板と一緒に被取り付け部に取り付ける構造であって、鏡に貫通するように穿孔した取り付け穴に、外周に弾性体が取り付けられると共に鏡の肉厚より厚く且つ全体が取り付け穴よりも小さい取り付け具を、該弾性体が取り付け穴の内周に密着するようにして嵌め込み、取り付け具に設けた孔に通したビスを裏板を介して被取り付け部まで打入して鏡を裏板ごと被取り付け部に固定し、取り付け具に器具を取り付けたので、器具を取り付ける取り付け具にて鏡を裏板と一緒に取り付けることができるものであって、従来のように裏板から鏡を取り外す必要がなくて鏡の取り付けが簡単且つ安全にできるものであり、また取り付け具の厚さが鏡より厚いために器具等からの荷重が鏡に直接かからず鏡が破損したりするおそれがないものである。
【００１４】
しかも、弾性体にて鏡の取り付け穴の部分を保護できると共に取り付け穴と取り付け具との間の寸法公差のクリアランスを吸収することができるものである。
【００１５】
また本発明の請求項２の発明は、請求項１において、取り付け具に複数の孔を設け、この複数の孔のうち一つは鏡を取り付けるためのビスを挿通するものとすると共に他は照明器具を取り付けるためのビスを挿通するものとしたので、鏡を取り付けてから照明器具を取り付けることができて取り付け施工が容易にできるものである。
【図面の簡単な説明】
【図１】（ａ）は本発明の実施の形態の一例の照明器具を取り付ける前の状態の斜視図、（ｂ）は（ａ）のＡ部を拡大せる斜視図である。
【図２】（ａ）は同上の棚板支持具を取り付ける状態の斜視図、（ｂ）は（ａ）のＢを拡大せる斜視図である。
【図３】同上の洗面化粧台全体を示す斜視図である。
【図４】同上の照明器具を取り付ける部分で取り付け具を取り付ける状態を示す断面図である。
【図５】同上の棚板を取り付ける部分で取り付け具を取り付ける状態を示す断面図である。
【図６】同上の棚板を取り付ける状態を示す分解斜視図である。
【図７】（ａ）は照明器具を取り付ける状態を示す斜視図、（ｂ）は（ａ）のＣ部の固定状態を示す斜視図、（ｃ）は（ａ）のＤ部の固定状態を示す斜視図である。
【図８】従来例を示す斜視図である。
【符号の説明】
１  鏡
２  裏板
４  被取り付け部
５  取り付け穴
６  取り付け具
７  孔
８  ビス
９  弾性体
１０  照明器具
１１  ビス
【図１】
0004345140.tif 000002
【図２】
0004345140.tif 000003
【図３】
0004345140.tif 000004
【図４】
0004345140.tif 000005
【図５】
0004345140.tif 000006
【図６】
0004345140.tif 000007
【図７】
0004345140.tif 000008
【図８】
0004345140.tif 000009